(57)【要約】【課題】プレイヤーに興味を抱かせるような斬新な当たり条件が組み込まれたパチンコ機を創作することを解決課題とする。【解決手段】色彩付きの形態からなる図柄を用い、様々な図柄を可変表示する表示機が遊技盤面に配置され、表示機において予め定められた複数個の当たりラインの何れかに、予め定められた同一の図柄の組み合わせが表示結果として示された場合に当たり状態となるパチンコ遊技機であって、色彩のみ又は形態のみ同一の図柄の組合せが複数個の当たりラインのうち１ラインに表示結果として示された場合にも当たり状態となる。色彩のみ又は形態のみ同一の図柄の組合せが複数個の当たりラインのうち複数ラインに表示結果として示された場合にも当たり状態となる。１枚の絵となる図柄の組合せが、全体の表示結果として示された場合にも当たり状態となる。【選択図】      図１
2005052237.tif 000002
【特許請求の範囲】
【請求項１】
色彩付きの形態からなる図柄を用い、様々な図柄を可変表示する表示機（３）が遊技盤面（１）に配置され、表示機において予め定められた複数個の当たりラインの何れかに、予め定められた同一の図柄の組み合わせが表示結果として示された場合に当たり状態となるパチンコ遊技機であって、
色彩のみ又は形態のみ同一の図柄の組合せが当たりラインの何れかに表示結果として示された場合にも当たり状態となることを特徴とするパチンコ遊技機。
【請求項２】
色彩付きの形態からなる図柄を用い、様々な図柄を可変表示する表示機（３）が遊技盤面（１）に配置され、表示機において予め定められた複数個の当たりラインの何れかに、予め定められた同一の図柄の組み合わせが表示結果として示された場合に当たり状態となるパチンコ遊技機であって、
色彩のみ又は形態のみ同一の図柄の組合せが複数個の当たりラインに表示結果として示された場合にも当たり状態となることを特徴とするパチンコ遊技機。
【請求項３】
１枚の絵となる図柄の組合せが、全体の表示結果として示された場合にも当たり状態となることを特徴とする請求項１又は２記載のパチンコ遊技機。
【請求項４】
色彩付きの形態からなる図柄を用い、様々な図柄を可変表示する表示機（３）が遊技盤面（１）に配置され、表示機において予め定められた複数個の当たりラインの何れかに、予め定められた同一の図柄の組み合わせが表示結果として示された場合に当たり状態となるパチンコ遊技機であって、
１枚の絵となる図柄の組合せが、全体の表示結果として示された場合にも当たり状態となることを特徴とするパチンコ遊技機。
【発明の詳細な説明】
【０００１】
【発明の属する技術分野】
本発明は、当たりの設定の仕方に特徴を有するパチンコ遊技機に関する。
【０００２】
【従来の技術】
パチンコ遊技機での基本的な当たりの条件は、ｍ行ｎ列の表示機について、列又は行、或いは、斜めに同一図柄が揃うことである（例えば、特許文献１参照。
）。そして、それ以外にも当たりとなる条件を設定することによってプレイヤーに興味を持たせている。例えば、ｍ行ｎ列の表示機に出力された表示結果が、全て準当たり図柄（オール果物）であることを、当たりの条件とする場合である。
【０００３】
【特許文献１】
特許第３１５５３２１号明細書
【０００４】
【発明が解決しようとする課題】
本発明は上記実情を考慮して開発されたもので、プレイヤーに興味を抱かせるような斬新な当たり条件が組み込まれたパチンコ機を創作することを解決課題とする。
【０００５】
【課題を解決するための手段】
本発明は、色彩付きの形態からなる図柄を用い、様々な図柄を可変表示する表示機が遊技盤面に配置され、表示機において予め定められた複数個の当たりラインの何れかに、予め定められた同一の図柄の組み合わせが表示結果として示された場合に当たり状態となるパチンコ遊技機を前提とする。
【０００６】
そして、請求項１の発明は、色彩のみ又は形態のみ同一の図柄の組合せが当たりラインの何れかに表示結果として示された場合にも当たり状態となることを特徴とする。
【０００７】
同一の図柄の組合せとは、色彩と形態の双方が同一の図柄が揃っていることを意味する。従って、色彩のみ又は形態のみ同一の図柄の組合せには、色彩と形態の双方が同一の図柄の組合せは除かれる。また、色彩が異なり、しかも、形態も異なる図柄が当たりラインに示された場合には外れとなる。なお、表示機には、形態の異なる図柄と色彩の異なる図柄の双方を表示可能なものを用いる。
【０００８】
また、請求項２の発明は、色彩のみ又は形態のみ同一の図柄の組合せが複数の当たりラインに表示結果として示された場合にも当たり状態となることを特徴とする。
【０００９】
具体的には、当たりラインが全部で８本ある場合に、そのうちの２本に色彩のみ又は形態のみ同一の図柄の組合せが表示結果として示された場合に当たり状態とするとか、３本に同様の組合せが表示結果として示された場合に当たり状態とする等の例が挙げられる。
【００１０】
また、上述した二つの発明を組み合わせて、色彩のみ又は形態のみ同一の図柄の組合せが複数個の当たりラインのうち１ライン以上に表示結果として示された場合に当たり状態となるものであっても良い。
【００１１】
請求項３の発明は、請求項１又は２の発明にさらに当たりとなる条件を増やしたもので、１枚の絵となる図柄の組合せが、全体の表示結果として示された場合にも当たり状態となることを特徴とする。
【００１２】
請求項４の発明は、請求項１又は２の発明とは関係なく、１枚の絵となる図柄の組合せが、全体の表示結果として示された場合にも当たり状態となることを特徴とする。
【００１３】
【発明の実施の形態】
パチンコ遊技機の外観構造は図５に示すように、適当な絵が表示された遊技盤面１に多数本の釘が打ってあり、飾りランプ２を適当に設け、当たり状態の発生を知らせる表示機３が中央部に設けてある。表示機３の近傍には始動口４と、入賞口５を設け、始動口４にパチンコ球が入ったことを契機として表示機３の表示を変化させ、表示結果が一定条件を満たした場合に当たりが確定して入賞口５を開放する。なお、始動口４や入賞口５に入らなかったパチンコ球はゲート６に回収される。
【００１４】
表示機３は図１から図４に示すように、様々な図柄を可変表示する四角形の単位表示部Ｕを行列状に（図面では３行３列に）形成したもので、単位表示部Ｕの具体例としては、リール、７セグメントディスプレイ、ドットマトリクスディスプレイ、ランプ、液晶、ＣＲＴが挙げられる。また、単位表示部Ｕには、基本となる背景色に図柄が表示され、様々な図柄を可変的に表示できる。例えば、リールであれば、回動によって図柄が順番に代わり、７セグメントディスプレイや液晶等であれば、図柄がランダムに変更される。図柄とは、文字、数字、記号、果物等、或いはこれらの一部分（例えば、サクランボの小枝）の形態と、形態に付ける色彩とから構成してあり、例えば、数字の「７」であれば、「７」という形態と、「７」の表示色とから構成される。また、各々の単位表示部Ｕで表示できる図柄は、全て同一であっても良いし、異なっていても良い。
【００１５】
パチンコ遊技機は、コンピュータ制御されているもので、図６に示すように、メイン基板７と、サブ基板８と、これら基板に接続されている入出力装置９とからなり、メイン基板７で表示機３の表示結果の決定や入賞口５の開閉等を行い、メイン基板７の通信制御回路１８からの信号を受けたサブ基板８で各種ランプやブザーを駆動してプレイヤーを視覚的、聴覚的に楽しませる演出を行う。入力装置としては、始動口４にパチンコ球が入ったことを検出する始動口用センサー１０が一例として挙げられる。出力装置としては、表示機３、入賞口５の開閉用ソレノイド１１、飾りランプ２が一例としてあげられる。
【００１６】
メイン基板７は、Ｉ／Ｏポート１２から入力される各種信号やＲＡＭ１３を利用してＣＰＵ１４が、ＲＯＭ１５に記録されたプログラムを実行する。プログラムは、始動口４にパチンコ球が入ったときに表示機３の表示を変動させ、所定時間経過後に変動を停止し、停止の際に表示機３に示された表示結果を把握して、当たり役設定部１６で予め設定した所定の当たり役（当たりとなる図柄の組合せ）が含まれているか否かを当たり判別手段１７で判定し、所定の当たり役以外の場合には入賞口５の閉鎖を維持し、所定の当たり役となっている場合には入賞口５を開放し、所定時間経過後に入賞口５を閉鎖するものである。そして、本発明では、当たり役のバリエーションを増やしたことに特徴がある。
【００１７】
当たり判別手段１７は、図２に示すように単位表示部Ｕが３行３列に並んだ表示機３の表示結果に８つの当たりライン（縦・横方向に３つずつ、斜め方向に２つ）Ｌ１〜Ｌ８を設定し、９個の単位表示部Ｕの変動が停止した際、そのどれかのラインに当たり役が揃ったか否かを判別するライン判別用と、全ての単位表示部Ｕについての表示結果に当たり役が揃ったか否かを判別するオール判別用を設定してある。
【００１８】
当たり役設定部１６は、当たりとなる図柄の組合せを予めテーブル状に設定しておくもので、基本的な当たりの条件と、補助的な当たりの条件を設定してある。基本的な当たりの条件は、ライン判別用で利用するもので、同一図柄が３つ揃うこと、即ち、形態と色彩の双方について同一の図柄が揃っていることである。例えば図２では、第二の当たりラインＬ２に並んでいる各図柄は、何れも形態が数字の７で色彩が赤色であり、従って、同一図柄が揃っていると言える。
【００１９】
補助的な当たりの条件の一番目は、ライン当たり用で利用するもので、図１（イ）に示すように、色彩のみ同一の図柄が３つ揃うことである。図面では、第二の当たりラインＬ２には、１、４、５という具合に形態の異なる各図柄が表示されているが、各図柄の色彩が赤色で統一されているので、この場合も当たりとなる。
【００２０】
補助的な当たりの条件の二番目はライン当たり用で利用するもので、図１（ロ）に示すように、形態のみ同一の図柄が３つ揃うことである。図面では、第二の当たりラインＬ２には、赤、青、黄色という具合に色彩の異なる図柄が表示されているが、各図柄の形態が数字の７で統一されているので、この場合も当たりとなる。
【００２１】
補助的な当たりの条件の三番目は図３に示すように、オール当たり用で利用するもので、色彩のみ同一の図柄が９つ、つまり全ての単位表示部Ｕに揃うこと、又は形態のみ同一の図柄が全ての単位表示部Ｕに揃うことである。図３（イ）では、全ての単位表示部Ｕに表された図柄は、形態については９、０、４、…という具合に統一されていないが、赤の色彩で統一されているので、この場合も当たりとなる。同様に、図３（ロ）では、全ての単位表示部Ｕに表された図柄は、黄色の色彩で統一され、図３（ハ）では、青色の色彩で統一されており、この場合も当たりとなる。なお、三番目の当たり条件を満たす場合は、必ず、一番目か、二番目の当たり条件を満たしているので、この場合は、これらよりも高設定の当たりとする。
【００２２】
補助的な当たりの条件の四番目はオール当たり用で利用するもので、１枚の絵となる図柄の組合せが、全体の表示結果として示されることであり、例えば図４（イ）に示すように、１枚の絵を単位表示部Ｕの配列に従って９つに分割し、その分割した絵の一部を各単位表示部Ｕに割り当て、全ての単位表示部Ｕについて割り当てた図柄が揃って、１枚の絵を完成させることである。左上隅の単位表示部Ｕには小枝の先端が表示され、右上隅の単位表示部Ｕには小枝の末端が表示されるという具合で、小枝にサクランボが２つ付いている１枚の絵が全体の表示結果として示されており、この場合も当たりとなる。また、図４（ロ）には、第８の当たりラインＬ８に上述した絵の一部が揃っているが、このように全ての単位表示部Ｕのうち、一部分のみについて割り当てた図柄が揃っても当たりではない。なお、図４（ハ）では第８の当たりラインＬ８に小枝の先端が揃っているが、この場合は、同一の図柄の組合せが当たりラインに表示結果として示された場合なので、基本的な当たりとなる。
【００２３】
本発明は上記実施形態に限定されない。例えば、当たり判別手段１７は、ライン判別用だけを有するものであっても良い。また、当たり役設定部１６は、基本的な当たり条件を有していれば、補助的な当たり条件は上述した一番目から四番目のうち、少なくとも一つを有していれば良い。
【００２４】
【発明の効果】
請求項１又は２の発明では、当たりラインの何れかに、予め定められた同一の図柄の組み合わせが表示結果として表示機に示された場合だけでなく、色彩のみ又は形態のみ同一の図柄の組合せが１ライン又は複数ラインに示された場合も、当たり状態となるので、パチンコ機としての面白味が増す。
【００２５】
請求項３と４の発明は、１枚の絵となる図柄の組合せが、全体の表示結果として示された場合にも当たり状態となるので、視覚的にもプレイヤーを満足させることができ、パチンコ機としての面白味が増す。
【図面の簡単な説明】
【図１】（イ）（ロ）
本発明のパチンコ遊技機の当たり状態を示す説明図である。
【図２】パチンコ遊技機の基本的な当たり状態を示す説明図である。
【図３】（イ）（ロ）（ハ）
本発明のパチンコ遊技機の他の当たり状態を示す説明図である。
【図４】（イ）（ロ）（ハ）
本発明のパチンコ遊技機の他の当たり状態、外れ状態を示す説明図である。
【図５】パチンコ遊技機の主要部の外観を示す説明図である。
【図６】パチンコ遊技機のコンピュータ制御状態を示す構成図である。
【符号の説明】
１  遊技盤面
３  表示機
【図１】
2005052237.tif 000003
【図２】
2005052237.tif 000004
【図３】
2005052237.tif 000005
【図４】
2005052237.tif 000006
【図５】
2005052237.tif 000007
【図６】
2005052237.tif 000008